(57)【要約】      （修正有）【課題】デザイン性に富んだ発光見栄えを実現することが可能なレンズ体を提供する。【解決手段】第２レンズ体２４の作用により第１光源１２Ａから近い第２出光面２４ｆから第２光源１２Ｂからの光が出射して、近い第２出光面２４ｆが第２光源１２Ｂの発光色で発光し、一方、第１レンズ体２２の作用により第１光源１２Ａから遠い第１出光面２２ｆから第１光源１２Ａからの光が出射して、遠い第１出光面２２ｆが第１光源１２Ａの発光色で発光する。【選択図】図２
2013149529.tif 000002
【特許請求の範囲】
【請求項１】
互いに平行な光軸を持つ第１光源及び第２光源それぞれの光軸上に配置された第１入光部及び第２入光部と、
前記第１入光部から前記第１光源の光軸方向に延びた第１レンズ部と、前記第１レンズ部から第１反射面を介して前記第２光源の光軸に略直交する方向に延びた第２レンズ部と、前記第２レンズ部のうち第１位置から第２反射面を介して前記第１光源の光軸方向に延びた第３レンズ部と、前記第３レンズ部の先端面である第１出光面と、を含む第１レンズ体と、
前記第２入光部から前記第２光源の光軸方向かつ前記第２レンズ部の手前位置まで延びた第４レンズ部と、前記第４レンズ部から第３反射面を介して前記第１光源の光軸に略直交する方向に延びた第５レンズ部と、前記第５レンズ部のうち前記第１位置より前記第１入光部に近い第２位置から第４反射面を介して前記第３レンズ部と同一方向に延び、前記第２レンズ部と交差した後、さらに、前記第３レンズ部と同一方向に延びた第６レンズ部と、前記第６レンズ部の先端面である第２出光面と、を含む第２レンズ体と、
を備えており、
前記第１反射面は、前記第１入光部から入光した前記第１光源からの光を、前記第２反射面に向けて内部反射する反射面であり、
前記第２反射面は、前記第１反射面からの反射光を、前記第１出光面に向けて内部反射する反射面であり、
前記第３反射面は、前記第２入光部から入光した前記第２光源からの光を、前記第４反射面に向けて内部反射する反射面であり、
前記第４反射面は、前記第３反射面からの反射光を、前記第２出光面に向けて内部反射する反射面であることを特徴とするレンズ体。
【請求項２】
前記第５レンズ部は、前記第４レンズ部から第３反射面を介して前記第１光源の光軸に略直交する方向に空気層を介して延びていることを特徴とする請求項１に記載のレンズ体。
【請求項３】
前記第１レンズ体、前記第２レンズ体及び前記第２入光部を複数備えており、
前記複数の第１レンズ体のうち少なくとも一つの第１レンズ体の第１出光面及び前記複数の第２レンズ体の第２出光面はそれぞれ、正面視でＮ角形の各辺に対応する位置に配置されて、Ｎ角型の発光面を構成していることを特徴とする請求項１又は２に記載のレンズ体。
【請求項４】
前記第１レンズ体、前記第２レンズ体及び前記第２入光部を複数備えており、
前記複数の第２レンズ体の第２出光面はそれぞれ、正面視でＮ角形の各辺に対応する位置に配置されて、Ｎ角型の発光面を構成していることを特徴とする請求項１又は２に記載のレンズ体。
【発明の詳細な説明】
【技術分野】
【０００１】
本発明は、レンズ体に係り、特に、デザイン性に富んだ発光見栄えを実現することが可能なレンズ体に関する。
【背景技術】
【０００２】
従来、一つの光源から放出された光を取り込み、その取り込んだ光の進路を変更して、光源の周囲に配置された複数の出光面それぞれから出射するレンズ体が提案されている（例えば、特許文献１参照）。
【０００３】
図８（ａ）、図８（ｂ）は、従来のレンズ体の例である。
【０００４】
図８（ａ）、図８（ｂ）に示すように、従来のレンズ体２００は、光源３００の光軸ＡＸ上に配置され、光源３００からの光が入光する入光部２１０、入光部２１０から入光した光源３００からの光の進路を変更する反射面２２１、２２２とその進路が変更された光源３００からの光が出射する出光面２２３とを含むレンズ部２２０等を備えている。レンズ部２２０は、光源３００の光軸ＡＸを中心として６０°ずつ回転した位置に配置されている（合計６個）。
【０００５】
上記構成のレンズ体２００においては、光源３００から放出された光は、入光部２１０からレンズ体２００内に入光し、反射面２２１、２２２により二回反射されて進路を変更されて、レンズ部２２０（合計６個）内を進行し、それぞれの出光面２２３から出射する。
【先行技術文献】
【特許文献】
【０００６】
【特許文献１】特許第４４３３４９８号公報
【発明の概要】
【発明が解決しようとする課題】
【０００７】
しかしながら、上記構成のレンズ体２００においては、出光面２２３を正面視で正六角形の各頂点に対応する位置に配置することで、これを統一感のある一単位として視認させることが可能となるものの、同一光源３００からの光が全ての出光面２２３から出射する構成であるため、全ての出光面２２３が同一色で発光することとなり、その結果、デザイン性に乏しい単調な発光見栄えになるという問題がある。
【０００８】
本発明は、このような事情に鑑みてなされたものであり、デザイン性に富んだ発光見栄えを実現することが可能なレンズ体を提供することを目的とする。
【課題を解決するための手段】
【０００９】
上記課題を解決するため、請求項１に記載の発明は、互いに平行な光軸を持つ第１光源及び第２光源それぞれの光軸上に配置された第１入光部及び第２入光部と、前記第１入光部から前記第１光源の光軸方向に延びた第１レンズ部と、前記第１レンズ部から第１反射面を介して前記第２光源の光軸に略直交する方向に延びた第２レンズ部と、前記第２レンズ部のうち第１位置から第２反射面を介して前記第１光源の光軸方向に延びた第３レンズ部と、前記第３レンズ部の先端面である第１出光面と、を含む第１レンズ体と、前記第２入光部から前記第２光源の光軸方向かつ前記第２レンズ部の手前位置まで延びた第４レンズ部と、前記第４レンズ部から第３反射面を介して前記第１光源の光軸に略直交する方向に延びた第５レンズ部と、前記第５レンズ部のうち前記第１位置より前記第１入光部に近い第２位置から第４反射面を介して前記第３レンズ部と同一方向に延び、前記第２レンズ部と交差した後、さらに、前記第３レンズ部と同一方向に延びた第６レンズ部と、前記第６レンズ部の先端面である第２出光面と、を含む第２レンズ体と、を備えており、前記第１反射面は、前記第１入光部から入光した前記第１光源からの光を、前記第２反射面に向けて内部反射する反射面であり、前記第２反射面は、前記第１反射面からの反射光を、前記第１出光面に向けて内部反射する反射面であり、前記第３反射面は、前記第２入光部から入光した前記第２光源からの光を、前記第４反射面に向けて内部反射する反射面であり、前記第４反射面は、前記第３反射面からの反射光を、前記第２出光面に向けて内部反射する反射面であることを特徴とする。
【００１０】
従来のレンズ体においては、光源から近い出光面（例えば、図８（ａ）、図８（ｂ）中、出光面２２３参照）からその光源からの光が出射し、当該近い出光面がその光源の発光色で発光するのが一般的であった。
【００１１】
これに対して、請求項１に記載の発明によれば、第２レンズ体の作用により第１光源から近い第２出光面から第２光源からの光が出射して、当該近い第２出光面が第２光源の発光色で発光し、一方、第１レンズ体の作用により第１光源から遠い第１出光面から第１光源からの光が出射して、当該遠い第１出光面が第１光源の発光色で発光する、デザイン性に富んだ発光見栄えを実現することが可能となる。
【００１２】
請求項２に記載の発明は、請求項１に記載の発明において、前記第５レンズ部は、前記第４レンズ部から第３反射面を介して前記第１光源の光軸に略直交する方向に空気層を介して延びていることを特徴とする。
【００１３】
請求項２に記載の発明によれば、金型を用いてレンズ体を一体成形する際に成形上の理由で第５レンズ部の途中に空気層（スペース）が形成されたとしても、第２レンズ体の作用により第１光源から近い第２出光面から第２光源からの光が出射して、当該近い第２出光面が第２光源の発光色で発光し、一方、第１レンズ体の作用により第１光源から遠い第１出光面から第１光源からの光が出射して、当該遠い第１出光面が第１光源の発光色で発光する、デザイン性に富んだ発光見栄えを実現することが可能となる。
【００１４】
請求項３に記載の発明は、請求項１又は２に記載の発明において、前記第１レンズ体、前記第２レンズ体及び前記第２入光部を複数備えており、前記複数の第１レンズ体のうち少なくとも一つの第１レンズ体の第１出光面及び前記複数の第２レンズ体の第２出光面はそれぞれ、正面視でＮ角形の各辺に対応する位置に配置されて、Ｎ角型の発光面を構成していることを特徴とする。
【００１５】
請求項３に記載の発明によれば、少なくとも一つの第１レンズ体の第１出光面及び複数の第２レンズ体の第２出光面を組み合わせることで、統一感のある一単位として視認させることが可能なＮ角型の発光面を構成することが可能となる。これに加えて、第１光源、第２光源として、それぞれ発光色が異なる光源を用いることで、Ｎ角型の発光面の各辺が異なる発光色で発光するデザイン性に富んだ発光見栄えを実現することが可能となる。
【００１６】
請求項４に記載の発明は、請求項１又は２に記載の発明において、前記第１レンズ体、前記第２レンズ体及び前記第２入光部を複数備えており、前記複数の第２レンズ体の第２出光面はそれぞれ、正面視でＮ角形の各辺に対応する位置に配置されて、Ｎ角型の発光面を構成していることを特徴とする。
【００１７】
請求項４に記載の発明によれば、複数の第２レンズ体の第２出光面を組み合わせることで、統一感のある一単位として視認させることが可能なＮ角型の発光面を構成することが可能となる。これに加えて、第１光源、第２光源として、それぞれ発光色が異なる光源を用いることで、Ｎ角型の発光面の各辺が異なる発光色で発光するデザイン性に富んだ発光見栄えを実現することが可能となる。
【発明の効果】
【００１８】
以上説明したように、本発明によれば、デザイン性に富んだ発光見栄えを実現することが可能なレンズ体を提供することが可能となる。
【図面の簡単な説明】
【００１９】
【図１】本発明の一実施形態であるレンズ体１４を用いた灯具１０の正面図である。
【図２】図１に示した灯具１０のＡ−Ａ断面図である。
【図３】図１に示した灯具１０のＢ−Ｂ断面図である。
【図４】図１に示した灯具１０（レンズ体１４）の一部を抜き出した正面図である。
【図５】レンズ体１４内に入光した第１光源１２Ａからの光が出射する領域（第１レンズ体２２（合計６個）それぞれの第１出光面２２ｆ）の例である。
【図６】レンズ体１４内に入光した第２光源１２Ｂ（第２光源１２Ｂ１〜１２Ｂ５）からの光が出射する領域（第２レンズ体２４（合計５個）それぞれの第２出光面２４ｆ）の例である。
【図７】第３レンズ部２２ｅとこれに隣接して配置された他の第３レンズ部２２ｅとを連結部３８を介して一体的に成形した例である。
【図８】（ａ）従来のレンズ体２００の正面図、（ｂ）図８（ａ）に示したレンズ体２００のＡ−Ａ断面図（Ｂ−Ｂ断面図、Ｃ−Ｃ断面図も同様）である。
【発明を実施するための形態】
【００２０】
以下、本発明の一実施形態であるレンズ体について、図面を参照しながら説明する。
【００２１】
図１は本発明の一実施形態であるレンズ体１４を用いた灯具１０の正面図、図２は図１に示した灯具１０のＡ−Ａ断面図、図３は図１に示した灯具１０のＢ−Ｂ断面図、図４は図１に示した灯具１０（レンズ体１４）の一部を抜き出した正面図である。
【００２２】
図１〜図３に示すように、本実施形態の灯具１０は、複数の光源１２（１２Ａ、１２Ｂ１〜１２Ｂ６）、レンズ体１４等を備えている。
【００２３】
複数の光源１２は、可視光を放出する光源で、例えば、一般的なＬＥＤ（発光ダイオード）やＬＤ（レーザーダイオード）等の半導体発光素子、白熱電球その他の光源である。本実施形態では、複数の光源１２として、発光色が異なる複数のＬＥＤを用いている。
【００２４】
複数の光源１２は、図４に示すように、各辺を隣接させた状態で敷き詰めて配置された複数の正六角形の中心にそれぞれ配置されている。複数の光源１２は、それぞれの発光面を同一方向（図２中上方向）に向け、かつ、それぞれの光軸を互いに平行とした状態で、支持部材３０の上面に固定された基板３２上に実装されている。
【００２５】
図２、図３に示すように、レンズ体１４は、複数の入光部１６（１６Ｂ１〜１６Ｂ６）、第１レンズ体２２、第２レンズ体２４等を含んでいる。
【００２６】
レンズ体１４は、透明樹脂（アクリルやポリカーボネイト等）を、金型に注入し、冷却、固化させることで一体成形してもよいし、あるいは、各部（例えば、入光部１６や第１レンズ体２２や第２レンズ体２４）を個々の部品として成形し、これらを組み合わせることで一体的に構成してもよい。なお、レンズ体１４の材質は、透明樹脂（アクリルやポリカーボネイト等）以外の、例えば、ガラスであってもよい。
【００２７】
以下、便宜上、図４中、中央の光源を第１光源１２Ａと称し、その周囲に配置された６個の光源を第２光源１２Ｂ１〜１２Ｂ６と称する。また、第１光源１２Ａの光軸（中心軸）を光軸ＡＸ１と称し、第２光源１２Ｂ１〜１２Ｂ６の光軸（中心軸）を光軸ＡＸ２と称する。また、第１光源１２Ａの光軸１上に配置された入光部を第１入光部１６Ａと称し、第２光源１２Ｂ（１２Ｂ１〜１２Ｂ６）の光軸２上に配置された入光部を第２入光部１６Ｂ（１６Ｂ１〜１６Ｂ６）と称する。
【００２８】
図２、図３に示すように、レンズ体１４は、支持部材３０の上面のうち各光源１２Ａ、第２光源１２Ｂ（１２Ｂ１〜１２Ｂ６）の周囲からそれぞれの光軸方向に延びる遮光用の筒部３４の先端部に固定されて支持されている。レンズ体１４及びこれが固定された支持部材３０は、ケース３６内に収納されてこれにネジ止め等の公知の手段で固定されている。
【００２９】
第１入光部１６Ａは、レンズ体１４が上記のように支持部材３０（筒部３４）により支持されることで、第１光源１２Ａの光軸ＡＸ１上に配置されている。同様に、第２入光部１６Ｂ（１６Ｂ１〜１６Ｂ６）は、レンズ体１４が上記のように支持部材３０（筒部３４）により支持されることで、第２光源１２Ａ（１２Ｂ１〜１２Ｂ６）それぞれの光軸ＡＸ２上に配置されている。
【００３０】
各入光部１６Ａ、１６Ｂ（１６Ｂ１〜１６Ｂ６）は同一構成である。以下、第１入光部１６Ａを例に各入光部１６Ａ、１６Ｂ（１６Ｂ１〜１６Ｂ６）の構成について説明する。
【００３１】
第１入光部１６Ａは、中央入光部１８、周辺入光部２０等を備えている。
【００３２】
中央入光部１８は、第１光源１２Ａからその光軸ＡＸ１（中心軸）に対して狭角方向に放出される第１光源１２Ａからの光を光軸ＡＸ１に対して平行な光線に変換するレンズ部で、例えば、第１光源１２Ａ側に凸のレンズ面である。
【００３３】
周辺入光部２０は、第１光源１２Ａからその光軸ＡＸ１に対して広角方向に放出される光を光軸ＡＸ１に対して平行な光線に変換するレンズ部で、例えば、中央入光部１８の周囲から第１光源１２Ａ側に向かって延び、第１光源１２Ａの外周を円形に囲う円筒形状のレンズ面２０ａ、この円筒形状のレンズ面２０ａの外周に配置され、当該円筒形状のレンズ面２０ａから屈折してレンズ体１４内に入光する第１光源１２Ａからの光を内部反射して光軸ＡＸ１に対して平行な光線に変換する回転放物面形状の反射面である。
【００３４】
図２、図３に示すように、第１レンズ体２２は、第１入光部１６Ａから第１光源１２Ａの光軸ＡＸ１方向に延びた第１レンズ部２２ａ、第１レンズ部２２ａから第１反射面２２ｂを介して第２光源１２Ｂの光軸ＡＸ２に略直交する方向に延びた第２レンズ部２２ｃ、第２レンズ部２２ｃのうち第１位置Ｐ１から第２反射面２２ｄを介して第１光源１２Ａの光軸ＡＸ１方向に延びた第３レンズ部２２ｅ、第３レンズ部２２ｅの先端面である第１出光面２２ｆ等を含んでいる。
【００３５】
本実施形態では、図２、図３に示すように、第１レンズ体２２は、第１光源１２Ａの光軸ＡＸ１を中心として６０°ずつ回転した位置であって、第１光源１２Ａとこれに隣接して配置された第２光源１２Ｂ（１２Ｂ１〜１２Ｂ６）との間に配置されている（合計６個）。なお、図示していないが、第１光源１２Ａと第２光源１２Ｂ２との間（及び第１光源１２Ａと第２光源１２Ｂ５との間）にも、図２と同様、第１レンズ体２２が配置されている。
【００３６】
第１反射面２２ｂは、第１入光部１６Ａから入光した第１光源１２Ａからの光を、第２反射面２２ｄに向けて内部反射する反射面で、例えば、第１光源１２Ａの光軸ＡＸ１に対して角度４５°傾斜して配置された三角形状の平面反射面である。
【００３７】
本実施形態では、第１反射面２２ｂは、第１光源１２Ａの光軸ＡＸ１を中心として６０°ずつ回転した位置に配置されて（合計６個）、６角錐型の反射面２６を構成している。
【００３８】
６角錐型の反射面２６（第１反射面２２ｂ）は、第１入光部１６Ａから入光した第１光源１２Ａからの光を平行光線として、第１光源１２Ａの光軸ＡＸ１に直交する面に沿って６方向に放射状に内部反射する。
【００３９】
第２反射面２２ｄは、第１反射面２２ｂからの反射光を、第１出光面２２ｆに向けて内部反射する反射面で、例えば、第１光源１２Ａの光軸ＡＸ１に対して角度４５°傾斜して配置された平面反射面である。
【００４０】
第２反射面２２ｄは、第１反射面２２ｂからの反射光を平行光線として、第１出光面２２ｆに向けて内部反射する。
【００４１】
本実施形態では、第２反射面２２ｄは、第１光源１２Ａの光軸ＡＸ１を中心として６０°ずつ回転した位置に配置されている（合計６個）。
【００４２】
第１出光面２２ｆは、第２反射面２２ｄからの反射光が出射するレンズ面で、例えば、光軸ＡＸ１に直交する矩形の平面である。
【００４３】
第１出光面２２ｆは、第２反射面２２ｄからの反射光を第１出光面２２ｆの法線方向に出射する。なお、第１出光面２２ｆは、平面に限られず、例えば、凹又は凸状の曲面、その他の形状であってもよい。
【００４４】
本実施形態では、第１出光面２２ｆは、第１光源１２Ａの光軸ＡＸ１を中心として６０°ずつ回転した位置（図４中、中央に配置された正六角形の各辺に隣接する外側の位置）に配置されている（合計５個）。なお、第１出光面２２ｆは、図４中、中央に配置された正六角形の各辺のうち右下の正六角形が対向する一辺に隣接する外側の位置には配置されていない。
【００４５】
図２、図３に示すように、第２レンズ体２４は、第２入光部１６Ｂ（例えば、第２入光部１６Ｂ１）から第２光源１２Ｂ（例えば、第２光源１２Ｂ１）の光軸ＡＸ２方向かつ第２レンズ部２２ｃの手前位置まで延びた第４レンズ部２４ａ、第４レンズ部２４ａから第３反射面２４ｂを介して第１光源１２Ａの光軸ＡＸ１に略直交する方向に空気層Ｓを介して延びた第５レンズ部２４ｃ、第５レンズ部２４ｃのうち第１位置Ｐ１より第１入光部１６Ａに近い第２位置Ｐ２から第４反射面２４ｄを介して第３レンズ部２２ｅと同一方向に延び、第２レンズ部２２ｃと交差した後、さらに、第３レンズ部２２ｅと同一方向に延びた第６レンズ部２４ｅ、第６レンズ部２４ｅの先端面である第２出光面２４ｆ等を含んでいる。
【００４６】
空気層Ｓとは、金型を用いてレンズ体１４を一体成形する際に成形上の理由で第５レンズ部２４ｃの途中に形成されるスペースのことである。なお、各部（例えば、入光部１６や第１レンズ体２２や第２レンズ体２４）を個々の部品として成形し、これらを組み合わせてレンズ体１４を一体的に構成する場合には、空気層Ｓが存在しない第５レンズ部２４ｃを構成することが可能である。
【００４７】
第５レンズ部２４ｃは、図２に示すように、第１入光部１６Ａと第２レンズ部２２ｃとの間で、第１光源１２Ａの光軸ＡＸ１に略直交する方向に延びている。すなわち、第５レンズ部２４ｃと第２レンズ部２２ｃとは、互いに平行な方向に延びているが、第１光源１２Ａの光軸ＡＸ１方向に段違いに配置されている（図２中、第５レンズ部２４ｃは、第２レンズ部２２ｃの真下に配置されている）。そして、第６レンズ部２４ｅは、第５レンズ部２４ｃのうち第１位置Ｐ１より第１入光部１６Ａに近い第２位置Ｐ２から第４反射面２４ｄを介して第３レンズ部２２ｅと同一方向に延び、第２レンズ部２２ｃと交差（例えば、直交）した後、さらに、第３レンズ部２２ｅと同一方向に延びている。
【００４８】
従来のレンズ体においては、光源から近い出光面（例えば、図８（ａ）、図８（ｂ）中、出光面２２３参照）からその光源からの光が出射し、当該近い出光面がその光源の発光色で発光するのが一般的であった。
【００４９】
これに対して、本実施形態では、以上のように、第５レンズ部２４ｃと第２レンズ部２２ｃとを、光軸ＡＸ１方向に段違いに配置するとともに、第６レンズ部２４ｅと第２レンズ部２２ｃとを交差させているため、第１光源１２Ａからの光及び第２光源１２Ｂ（１２Ｂ１〜１２Ｂ６）からの光が重なることなく、第１光源１２Ａから近い第２出光面２４ｆから第２光源１２Ｂ（１２Ｂ１〜１２Ｂ６）からの光を出射させて、当該近い第２出光面２４ｆを第２光源１２Ｂ（１２Ｂ１〜１２Ｂ６）の発光色で発光させることが可能となる。また、第１光源１２Ａから遠い第１出光面２２ｆから第１光源１２Ａからの光を出射させて、当該遠い第１出光面２２ｆを第１光源１２Ａの発光色で発光させることが可能となる。これにより、デザイン性に富んだ発光見栄えを実現することが可能となる。
【００５０】
本実施形態では、図２、図３に示すように、第２レンズ体２４は、第１光源１２Ａの光軸ＡＸ１を中心に６０°ずつ回転した位置であって、第１光源１２Ａとこれに隣接して配置された第２光源１２Ｂ（１２Ｂ１〜１２Ｂ５）との間に配置されている（第１レンズ体２２より一つ少ない合計５個）。第２レンズ体２４は、第１光源１２Ａと第２光源１２Ｂ６との間には配置されていない（図３参照）。なお、図示していないが、第１光源１２Ａと第２光源１２Ｂ２との間（及び第１光源１２Ａと第２光源１２Ｂ５との間）にも、図２と同様、第２レンズ体２４が配置されている。
【００５１】
第３反射面２４ｂは、第２入光部１６Ｂ（例えば、第２入光部１６Ｂ１）から入光した第２光源１２Ｂ（例えば、第２光源１２Ｂ１）からの光を、第４反射面２４ｄに向けて内部反射する反射面で、例えば、第２光源１２Ｂ（例えば、第２光源１２Ｂ１）の光軸ＡＸ２に対して角度４５°傾斜して配置された三角形状の平面反射面である。
【００５２】
本実施形態では、第３反射面２４ｂは、第２光源１２Ｂの光軸ＡＸ２を中心として６０°ずつ回転した位置に配置されて（合計６個）、６角錐型の反射面２８を構成している。
【００５３】
６角錐型の反射面２８（第３反射面２４ｂ）は、第２入光部１６Ｂ（例えば、第２入光部１６Ｂ１）から入光した第２光源１２Ｂ（例えば、第２光源１２Ｂ１）からの光を平行光線として、第２光源１２Ｂ（例えば、第２光源１２Ｂ１）の光軸ＡＸ２に直交する面に沿って６方向に放射状に内部反射する。
【００５４】
第４反射面２４ｄは、第３反射面２４ｂからの反射光を、第２出光面２４ｆに向けて内部反射する反射面で、例えば、第２光源１２Ｂ（例えば、第２光源１２Ｂ１）の光軸ＡＸ２に対して角度４５°傾斜して配置された平面反射面である。
【００５５】
第４反射面２４ｄは、第３反射面２４ｂからの反射光を平行光線として、第２出光面２４ｆに向けて内部反射する。
【００５６】
本実施形態では、第４反射面２４ｄは、第１光源１２Ａの光軸ＡＸ１を中心として６０°ずつ回転した位置に配置されている（第１レンズ体２２より一つ少ない合計５個）。
【００５７】
第２出光面２４ｆは、第４反射面２４ｄからの反射光が出射するレンズ面で、例えば、光軸ＡＸ２に直交する矩形の平面である。
【００５８】
第２出光面２４ｆは、第４反射面２４ｄからの反射光を第２出光面２４ｆの法線方向に出射する。なお、第２出光面２４ｆは、平面に限られず、例えば、凹又は凸状の曲面、その他の形状であってもよい。
【００５９】
本実施形態では、第２出光面２４ｆは、第１光源１２Ａの光軸ＡＸ１を中心として６０°ずつ回転した位置（図４中、中央に配置された正六角形の各辺に対応する位置）に配置されている（合計５個）。なお、第２出光面２４ｆは、図４中、中央に配置された正六角形の各辺のうち右下の正六角形が対向する一辺に対応する位置には配置されていない。この位置には、第１出光面２２ｆが配置されている。この位置に第１出光面２２ｆ（第３レンズ部２２ｅ）を配置することで、例えば、図７に示すように、当該第３レンズ部２２ｅとこれに隣接して配置された他の第３レンズ部２２ｅとを連結部３８を介して一体的に成形することが可能となる。図７は、第３レンズ部２２ｅとこれに隣接して配置された他の第３レンズ部２２ｅとを連結部３８を介して一体的に成形した例である。
【００６０】
この位置の第１出光面２２ｆ及び複数の第２レンズ体２４の第２出光面２４ｆはそれぞれ、正面視で正六角形の各辺に対応する位置に配置されて、統一感のある一単位として視認させることが可能な六角型の発光面４０を構成している（図４参照）。
【００６１】
上記構成のレンズ体１４を用いた灯具１０においては、第１光源１２Ａから放出された光は、次の光路を辿る。
【００６２】
すなわち、第１光源１２Ａから放出された光は、第１入光部１６Ａからレンズ体１４内に入光し、第１レンズ体２２（合計６個）それぞれの反射面２２ｂ、２２ｄにより二回反射されて進路を変更されて、それぞれの第１出光面２２ｆから出射する。図５は、レンズ体１４内に入光した第１光源１２Ａからの光が出射する領域（第１レンズ体２２（合計６個）それぞれの第１出光面２２ｆ）をハッチングで表している。
【００６３】
より詳細には、第１光源１２Ａから放出された光は、次の光路を辿る。
【００６４】
すなわち、図２に示すように、第１光源１２Ａから放出された光は、第１入光部１６Ａからレンズ体１４内に入光する。この入光した光は、第１入光部１６Ａにより中心軸ＡＸ１に対して平行な光線に変換されて、６角錐型の反射面２６（第１反射面２２ｂ）に向かって第１レンズ部２２ａ内を進行する。
【００６５】
６角錐型の反射面２６（第１反射面２２ｂ）は、第１入光部１６Ａから入光した第１光源１２Ａからの光を平行光線として、第１光源１２Ａの光軸ＡＸ１に直交する面に沿って６方向に放射状に内部反射する。
【００６６】
６角錐型の反射面２６（第１反射面２２ｂ）からの反射光（６方向）は、第２反射面２２ｄに向かって第２レンズ部２２ｃ内を進行する。
【００６７】
第２反射面２２ｄは、６角錐型の反射面２６（第１反射面２２ｂ）からの反射光を平行光線として、第１出光面２２ｆに向けて内部反射する。
【００６８】
第２反射面２２ｄからの反射光は、第１出光面２２ｆに向かって第３レンズ部２２ｅ内を進行し、第１出光面２２ｆからその法線方向に出射する（図５中ハッチング領域参照）。
【００６９】
一方、第２光源１２Ｂから放出された光は、次の光路を辿る。
【００７０】
すなわち、第２光源１２Ｂ（例えば、第２光源１２Ｂ１）から放出された光は、第２入光部１６Ｂ（例えば、第２入光部１６Ｂ１）からレンズ体１４内に入光し、第２レンズ体２４（合計５個）それぞれの反射面２４ｂ、２４ｄにより二回反射されて進路を変更されて、それぞれの第２出光面２４ｆから出射する。図６は、レンズ体１４内に入光した第２光源１２Ｂ（第２光源１２Ｂ１〜１２Ｂ５）からの光が出射する領域（第２レンズ体２４（合計５個）それぞれの第２出光面２４ｆ）をハッチングで表している。
【００７１】
より詳細には、第２光源１２Ｂから放出された光は、次の光路を辿る。
【００７２】
すなわち、図２に示すように、第２光源１２Ｂ（例えば、第２光源１２Ｂ１）から放出された光は、第２入光部１６Ｂ（例えば、第２入光部１６Ｂ１）からレンズ体１４内に入光する。この入光した光は、第２入光部１６Ｂ（例えば、第２入光部１６Ｂ１）により中心軸ＡＸ２に対して平行な光線に変換されて、６角錐型の反射面２８（第３反射面２４ｂ）に向かって第４レンズ部２４ａ内を進行する。
【００７３】
６角錐型の反射面２８（第３反射面２４ｂ）は、第２入光部１６Ｂ（例えば、第２入光部１６Ｂ１）から入光した第２光源１２Ｂ（例えば、第２光源１２Ｂ１）からの光を平行光線として、第２光源１２Ｂ（例えば、第２光源１２Ｂ１）の光軸ＡＸ２に直交する面に沿って６方向に放射状に内部反射する。
【００７４】
６角錐型の反射面２８（第３反射面２４ｂ）からの反射光（６方向）は、第４反射面２４ｄに向かって第５レンズ部２４ｃ（及び空気層Ｓ）内を進行する。
【００７５】
第４反射面２４ｄは、６角錐型の反射面２８（第３反射面２４ｂ）からの反射光を平行光線として、第２出光面２４ｆに向けて内部反射する。
【００７６】
第４反射面２４ｄからの反射光は、第２出光面２４ｆに向かって第６レンズ部２４ｅ内を進行し、第２出光面２４ｆからその法線方向に出射する（図６中ハッチング領域参照）。
【００７７】
以上説明したように、本実施形態のレンズ体１４によれば、第２レンズ体２４の作用により第１光源１２Ａから近い第２出光面２４ｆから第２光源１２Ｂ（１２Ｂ１〜１２Ｂ６）からの光が出射して、当該近い第２出光面２４ｆが第２光源１２Ｂ（１２Ｂ１〜１２Ｂ６）の発光色で発光し、一方、第１レンズ体２２の作用により第１光源１２Ａから遠い第１出光面２２ｆから第１光源１２Ａからの光が出射して、当該遠い第１出光面２２ｆが第１光源１２Ａの発光色で発光する、デザイン性に富んだ発光見栄えを実現することが可能となる。
【００７８】
また、本実施形態のレンズ体１４によれば、第１レンズ体２２の第１出光面２２ｆ及び複数の第２レンズ体２４の第２出光面２４ｆを組み合わせることで、統一感のある一単位として視認させることが可能な六角型の発光面４０を構成することが可能となる。これに加えて、第１光源１２Ａ、第２光源１２Ｂ（１２Ｂ１〜１２Ｂ６）として、それぞれ発光色が異なる複数の光源、例えば、第１光源１２Ａ＝青色、第２光源１２Ｂ１＝緑色、第２光源１２Ｂ２＝黄色、第２光源１２Ｂ３＝紫色、第２光源１２Ｂ４＝赤色、第２光源１２Ｂ５＝水色、第２光源１２Ｂ６＝真紅色を用いることで、六角型の発光面４０（図４参照）の各辺（すなわち、六角型の発光面４０を構成する第２出光面２４ｆ（合計５個）及び第１出光面２２ｆ（合計１個））が異なる発光色で発光するデザイン性に富んだ（例えば、遊技機等のアミューズメント用途に適した）発光見栄えを実現することが可能となる。
【００７９】
なお、第１光源１２Ａ、第２光源１２Ｂ（１２Ｂ１〜１２Ｂ６）として、それぞれ発光色が同一（又は略同一）で、発光波長を若干異ならせた複数の光源を用いてもよい。例えば、第１光源１２Ａ、第２光源１２Ｂ（１２Ｂ１〜１２Ｂ６）として、それぞれ発光色が赤の範囲（法規で定められた赤の範囲）で、発光波長を異ならせた複数の光源を用いてもよい。
【００８０】
このようにすれば、車両用灯具（例えば、尾灯）に適した灯具１０を構成することが可能となる。
【００８１】
次に、変形例について説明する。
【００８２】
上記実施形態では、一つの第１レンズ体２２の第１出光面２２ｆ及び複数の第２レンズ体２４の第２出光面２４ｆを組み合わせることで、六角型の発光面４０を構成する例について説明したが、本発明はこれに限定されない。
【００８３】
例えば、複数の第１レンズ体２２の第１出光面２２ｆ及び複数の第２レンズ体２４の第２出光面２４ｆを組み合わせることで、六角型の発光面４０を構成してもよいし、複数の第１レンズ体２２の第１出光面２２ｆ及び一つの第２レンズ体２４の第２出光面２４ｆを組み合わせることで、六角型の発光面４０を構成してもよい。
【００８４】
あるいは、第１レンズ体２２の第１出光面２２ｆを用いることなく、複数の第２レンズ体２４の第２出光面２４ｆを組み合わせることで、六角型の発光面４０を構成してもよい。
【００８５】
また、発光面４０は、六角型に限定されず、適宜の数の第１レンズ体２２の第１出光面２２ｆ及び第２レンズ体２４の第２出光面２４ｆを組み合わせることで、三角型、四角型等のＮ角型の発光面を構成することも可能である。
【００８６】
このようにすれば、統一感のある一単位として視認させることが可能なＮ角型の発光面を構成することが可能となる。これに加えて、第１光源１２Ａ、第２光源１２Ｂとして、それぞれ発光色が異なる光源を用いることで、Ｎ角型の発光面の各辺が異なる発光色で発光するデザイン性に富んだ発光見栄えを実現することが可能となる。
【００８７】
また、上記実施形態では、一つの六角型（Ｎ角型）の発光面４０を構成する例について説明したが（図４参照）、本発明はこれに限定されない。
【００８８】
例えば、図１、図２、図３に示すように、各辺を隣接させた状態で敷き詰めて配置された複数の正六角形の中心にそれぞれ、複数の光源１２（第１光源１２Ａ、第２光源１２Ｂ）を配置するとともに、各光源１２に対して適宜の数の入光部１６（第１入光部１６Ａ、第２入光部１６Ｂ）、第１レンズ体２２及び第２レンズ体２４を組み合わせて配置することで、複数の六角型（Ｎ角型）の発光面４０を構成することが可能となる。
【００８９】
上記実施形態はあらゆる点で単なる例示にすぎない。これらの記載によって本発明は限定的に解釈されるものではない。本発明はその精神または主要な特徴から逸脱することなく他の様々な形で実施することができる。
【符号の説明】
【００９０】
１０…灯具、１２…光源、１２Ａ…第１光源、１２Ｂ（１２Ｂ１〜１２Ｂ６）…第２光源、１２Ｂ１      光源、１４…レンズ体、１６…入光部、１６Ａ…第１入光部、１６Ｂ（１６Ｂ１〜１６Ｂ６）…第２入光部、１８…中央入光部、２０…周辺入光部、２０ａ…レンズ面、２２…第１レンズ体、２２ａ…第１レンズ部、２２ｂ…第１反射面、２２ｃ…第２レンズ部、２２ｄ…第２反射面、２２ｅ…第３レンズ部、２２ｆ…第１出光面、２４…第２レンズ体、２４ａ…第４レンズ部、２４ｂ…第３反射面、２４ｃ…第５レンズ部、２４ｄ…第４反射面、２４ｅ…第６レンズ部、２４ｆ…第２出光面、２６…６角錐型の反射面２６、２８…６角錐型の反射面、３０…支持部材、３２…基板、３４…筒部、３６…ケース、４０…発光面
【図１】
2013149529.tif 000003
【図２】
2013149529.tif 000004
【図３】
2013149529.tif 000005
【図４】
2013149529.tif 000006
【図５】
2013149529.tif 000007
【図６】
2013149529.tif 000008
【図７】
2013149529.tif 000009
【図８】
2013149529.tif 000010